(57)【要約】【課題】かご敷居を小型軽量化することができるとともに、かご敷居のコストを低減することができるエレベータのかごドア装置を得ることを目的とする。【解決手段】かご出入口を開閉するかごの戸本体１の下方には、かご敷居５が配置されている。かご敷居５は、かごの戸本体１の移動方向に沿って延びた敷居溝６を有している。かごの戸本体１の下部には、戸の脚７が設けられている。戸の脚７は、敷居溝６に挿入されるように設けられ、かつ、かごの戸本体１に対して上下方向へ変位可能になっている。かごの戸本体１には、取付金具８を介して付勢ばね９が取り付けられている。戸の脚７は、付勢ばね９によって敷居溝６に押し付けられている。従って、戸の脚７は、かごの戸本体１に対するかご敷居５の上下方向への変位によりかご敷居５と共に変位される。【選択図】        図１
2004224494.tif 000002
【特許請求の範囲】
【請求項１】
かご出入口を開閉するかごの戸本体、
上記かごの戸本体の移動方向に沿って延びた敷居溝を有するかご敷居、
上記敷居溝に挿入されるように上記かごの戸本体の下部に設けられ、かつ、上記かごの戸本体に対する上記かご敷居の上下方向への変位により上記かごの戸本体に対して上下方向へ変位可能な戸の脚、及び
上記かごの戸本体に設けられ、上記戸の脚の上下方向への変位を案内する案内手段
を備えていることを特徴とするエレベータのかごドア装置。
【請求項２】
上記かごの戸本体に設けられ、上記敷居溝に押し付けるように上記戸の脚を付勢する付勢手段をさらに備えていることを特徴とする請求項１に記載のエレベータのかごドア装置。
【請求項３】
上記戸の脚は脚側係合部を有し、上記かご敷居は上記脚側係合部に係合する敷居側係合部を有しており、上記脚側係合部と上記敷居側係合部とが係合することにより、上記かごの戸本体に対する上記かご敷居の上下方向への変位に連動して上記戸の脚が上記かごの戸本体に対して上下方向へ変位されることを特徴とする請求項１又は請求項２に記載のエレベータのかごドア装置。
【請求項４】
上記戸の脚は、脚本体と、上記脚本体に設けられ、上記敷居溝に沿って転動可能なローラとを有していることを特徴とする請求項１乃至請求項３の何れかに記載のエレベータのかごドア装置。
【請求項５】
上記戸の脚に設けられ、上記戸の脚の摺動により上記かご敷居上の異物を除去可能なカバーをさらに備えていることを特徴とする請求項１乃至請求項４の何れかに記載のエレベータのかごドア装置。
【請求項６】
上記カバーは、ブラシ部を有していることを特徴とする請求項５に記載のエレベータのかごドア装置。
【発明の詳細な説明】
【０００１】
【発明の属する技術分野】
この発明は、かごの出入口を開閉するエレベータのかごドア装置に関するものである。
【０００２】
【従来の技術】
一般に、エレベータのかご床は、乗客の乗り心地を良くするため、防振ゴム等の防振材を介してかご枠上に支持されている。また、かご出入口を開閉するかごの戸は、かご枠に対して固定されたドアレールから吊り下げられている。かご床には、かごの戸の下端部を案内するかご敷居が固定されている。即ち、かご敷居にはかごの戸の開閉方向に沿って延びる敷居溝が設けられており、かごの戸の下端部には敷居溝に挿入される複数の戸の脚が固定されている（例えば、特許文献１参照）。
【０００３】
【特許文献１】
実開昭５４−１６３４７１号公報
【０００４】
【発明が解決しようとする課題】
上記のような従来のエレベータでは、かご床が防振材を介してかご枠上に支持されているので、乗客の乗降やかごの昇降によりかご床がかご敷居と共にかご枠に対して上下方向へ微小に変位する。これに対して、かごの戸は、かご枠に対して固定されたドアレールから吊り下げられているので、かご床及びかご敷居が変位しても変位せず、かご床の上下方向への変位により、戸の脚の敷居溝への挿入量が変化することになる。
従来のかごドア装置では、戸の脚が敷居溝から外れないように、かご床の変位量を考慮して敷居溝の深さを十分に大きく確保していた。従って、かご敷居が大形化し、高価になっていた。
【０００５】
そこでこの発明は、上記のような問題点を解決することを課題とするもので、かご敷居を小型軽量化することができるとともに、かご敷居のコストを低減することができるエレベータのかごドア装置を得ることを目的とする。
【０００６】
【課題を解決するための手段】
この発明に係るエレベータのかごドア装置は、かご出入口を開閉するかごの戸本体、かごの戸本体の移動方向に沿って延びた敷居溝を有するかご敷居、敷居溝に挿入されるようにかごの戸本体の下部に設けられ、かつ、かごの戸本体に対するかご敷居の上下方向への変位によりかごの戸本体に対して上下方向へ変位可能な戸の脚、及びかごの戸本体に設けられ、戸の脚の上下方向への変位を案内する案内手段を備えている。
【０００７】
【発明の実施の形態】
以下、この発明の実施の形態を図面を参照しながら説明する。
実施の形態１．
図１は、この発明の実施の形態１によるエレベータのかごドア装置を示す要部斜視図である。また、図２は、図１のエレベータのかごドア装置を示す縦断面図である。図において、エレベータのかご（図示しない）には、かご出入口を開閉するかごの戸本体１が設けられている。かごの戸本体１は、かご枠（図示しない）に対して固定されたドアレール（図示しない）から吊り下げられており、ドアレールに沿って往復動可能になっている。かごの戸本体１のドアレールに沿った往復動により、かご出入口は開閉される。かごの戸本体１は、ドアフレーム２と、ドアフレーム２に取り付けられたドアパネル３とを有している。
【０００８】
かご床４は、防振ゴム等の防振材（図示しない）を介してかご枠上に支持されている。従って、かご床４は、例えば乗客のかご室内への乗降等により、かご枠に対して上下方向へ変位される。かご床４のかご出入口側端部には、かご敷居５が固定されている。かご敷居５は、かごの戸本体１の開閉方向に沿って延びた敷居溝６を有している。
【０００９】
かごの戸本体１の下部には、戸の脚７が敷居溝６に挿入されるように設けられている。戸の脚７は、かご出入口の開閉時に敷居溝６内を摺動される。また、戸の脚７は、かごの戸本体１に対して上下方向へ変位可能になっている。ドアパネル３には、断面Ｌ字状の取付金具８が固定されている。取付金具８には、付勢手段である付勢ばね９が接続されている。付勢ばね９には戸の脚７が接続されており、戸の脚７は付勢ばね９により下方へ付勢されている。戸の脚７は、付勢ばね９の下方への付勢により敷居溝６に弾性的に押し付けられている。従って、戸の脚７は、かごの戸本体１に対するかご敷居５の上下方向への変位により、かごの戸本体１に対して上下方向に変位される。
【００１０】
戸の脚７は、付勢ばね９に接続された矩形状の板部１０と、板部１０の下部に固定され、敷居溝６内に配置された摺動部１１とを有している。また、ドアフレーム３には、戸の脚７の上下方向への変位を案内する案内手段である一対の脚案内レール１２が取り付けられている。一対の脚案内レール１２は、板部１０の側辺に沿って上下方向に延びており、かつ、板部１０を挟むように配置されている。
【００１１】
次に、動作について説明する。
例えば乗客のかご室内への乗降等により、かご床４及びかご敷居５は、かごの戸本体１に対して上下方向へ変位される。かご敷居５が上下方向へ変位されると、戸の脚７は、付勢ばね９の付勢により敷居溝６の底部に押し付けられたまま、かご敷居５と共に上下方向へ変位される。
【００１２】
このような構成のエレベータのかごドア装置では、かごの戸本体１に対するかご敷居５の上下方向への変位により、戸の脚７がかごの戸本体１に対して上下方向へ変位されるようになっているので、戸の脚７の敷居溝６からの外れを防止することができる。従って、かご床４及びかご敷居５の変位分を見込んで、敷居溝６を深く形成する必要がなくなり、かご敷居５を小型軽量化することができる。また、かご敷居５の材料コストも低減することができる。
【００１３】
また、戸の脚７は、付勢ばね９の付勢により弾性的に敷居溝６に押し付けられているので、戸の脚７をかご敷居５と共に確実に変位させることができる。
【００１４】
また、かごの戸本体１には、戸の脚７を案内する一対の脚案内レール１２が設けられているので、戸の脚７の上下方向への変位の確実性を向上させることができる。
【００１５】
実施の形態２．
図３は、この発明の実施の形態２によるエレベータのかごドア装置を示す要部斜視図である。また、図４は、図３のエレベータのかごドア装置を示す縦断面図である。図において、板部１０には、上下方向に沿って延びた２つの長穴２１が設けられている。ドアフレーム２には、長穴２１を貫通する貫通部材であるボルト２２が固定されている。ボルト２２は、かごの戸本体１に対する戸の脚７の上下方向への変位により長穴２１内を摺動される。従って、戸の脚７の上下方向への変位量は、長穴２１の長手方向の長さの範囲内に制限されている。
なお、案内手段は、長穴２１とボルト２２とを有している。また、他の構成は実施の形態１と同様である。
【００１６】
このような構成のエレベータのかごドア装置では、ドアフレーム２に固定されたボルト２２が長穴２１内を摺動されるようになっているので、戸の脚７の上下方向への変位量を制限することができ、戸の脚７の案内手段からの外れを防止することができる。また、案内手段の作製が容易であるため、案内手段の製造コストを低減することができる。
【００１７】
実施の形態３．
図５は、この発明の実施の形態３によるエレベータのかごドア装置を示す縦断面図である。図において、摺動部１１は、板部１０に固定された直方体状の摺動部本体３１と、摺動部本体３１の敷居溝６に沿った側面に形成され、上下方向に対して垂直に突出された脚側係合部である突出部３２とを有している。かご敷居５は、敷居溝６と、敷居溝６に沿って延び、突出部３２に係合する敷居側係合部である係合溝３３とを有している。突出部３２と係合溝３３とが係合することにより、かごの戸本体１に対するかご敷居５の上下方向への変位に連動して、戸の脚７がかごの戸本体１に対して上下方向へ変位される。また、突出部３２は、かごの戸本体１の移動により係合溝３３内を摺動される。他の構成は実施の形態１と同様である。
【００１８】
このような構成のエレベータのかごドア装置では、摺動部１１が突出部３２を有し、かご敷居５が突出部３２に上下方向について係合する係合溝３３を有しているので、戸の脚７はかご敷居５の上下方向への変位に連動して変位される。従って、戸の脚７の敷居溝６からの外れを防止することができる。
【００１９】
なお、実施の形態３では、戸の脚７の下方への変位のために付勢ばね９が用いられているが、付勢ばね９は無くてもよい。このようにしても、摺動部１１及びかご敷居５が上下方向について互いに係合する突出部３２及び係合溝３３をそれぞれ有しているので、戸の脚７はかご敷居５に連動して上下方向へ変位される。
【００２０】
実施の形態４．
図６は、この発明の実施の形態４によるエレベータのかごドア装置を示す要部斜視図である。また、図７は、図６のエレベータのかごドア装置を示す縦断面図である。図において、戸の脚７は、脚本体４１と、脚本体４１に設けられ、敷居溝６に沿って転動可能な２つのローラ４２とを有している。脚本体４１は、付勢ばね９に接続された矩形状の板部４３と、敷居溝６に挿入されるように板部４３の下部に固定され、かつ、長手方向が敷居溝６に沿うように配置された挿入部４４とを有している。２つのローラ４２は、挿入部４４の長手方向両端部に回転自在に取り付けられている。各ローラ４２は、敷居溝６内に配置されている。他の構成は実施の形態１と同様である。
【００２１】
このような構成のエレベータのかごドア装置では、戸の脚７が敷居溝６に沿って転動可能なローラ４２を有しているので、付勢ばね９の敷居溝６への押し付けによる戸の脚７の摺動抵抗を防止することができる。また、例えば敷居溝６に溜まった異物等によるかご出入口の開閉の不具合を生じにくくすることができる。
【００２２】
実施の形態５．
図８は、この発明の実施の形態５によるエレベータのかごドア装置を示す縦断面図である。また、図９は、図８のＩＸ−ＩＸ線に沿った断面図である。図において、戸の脚７は、脚本体５１と、脚本体５１に設けられ、敷居溝６に沿って転動可能な１つのローラ５２とを有している。脚本体５１は、付勢ばね９に接続された矩形状の板部５３と、敷居溝６に挿入されるように板部５３の下部に固定され、かつ、長手方向が敷居溝６に沿うように配置された直方体状の挿入部５４とを有している。
【００２３】
ローラ５２は、板部５３に回転自在に取り付けられている。また、ローラ５２は、敷居溝６に隣接するかご敷居５の上面に載せられている。従って、脚本体５１は、かご敷居５の上面のローラ５２によって支持されている。他の構成は実施の形態１と同様である。
【００２４】
このような構成のエレベータのかごドア装置では、ローラ５２は、板部５３に取り付けられ、かご敷居５の上面を転動されるようになっているので、摺動部５４を敷居溝６から開離させたまま、かごの戸本体１を往復動させることができる。このことから、敷居溝６の底面に溜まった異物によるかご出入口の開閉の不具合をさらに生じにくくすることができる。
【００２５】
実施の形態６．
図１０は、この発明の実施の形態６によるエレベータのかごドア装置を示す縦断面図である。また、図１１は、図１０のＸＩ−ＸＩ線に沿った断面図である。図において、板部５３には、かご敷居５の上面の異物を戸の脚７の摺動により除去可能なカバー６１が取り付けられている。カバー６１は、板部５３に取り付けられた取付部６２と、取付部６２に固定され、ローラ５２を覆うカバー本体６３とを有している。取付部６２は、ねじにより板部５３に取り付けられている。カバー本体６３は、板部材を曲げて作製されている。カバー本体６３の敷居溝６に沿った方向の両端部は、異物等の障害による抵抗を小さくするために、かごの戸本体１の移動方向に対して傾斜するように曲げられて、板部５３側に近づけられている。また、カバー本体６３は、かご敷居５の上面に対して隙間を介して対向している。他の構成は実施の形態５と同様である。
【００２６】
このように構成されたエレベータのかごドア装置では、カバー６１が戸の脚７に取り付けられているので、かご敷居５の上面の大きな異物をカバー６１により除去することができ、異物によるかご出入口の開閉の不具合をさらに生じにくくすることができる。
【００２７】
実施の形態７．
図１２は、この発明の実施の形態７によるエレベータのかごドア装置を示す縦断面図である。また、図１３は、図１２のＸＩＩＩ−ＸＩＩＩ線に沿った断面図である。図において、カバー７１は、板部５３に取り付けられた取付部７２と、取付部７２に固定され、ローラ５２を囲むブラシ部７３とを有している。ブラシ部７３の毛の先端部は、かご敷居５の上面に接触している。他の構成は実施の形態６と同様である。
【００２８】
このような構成のエレベータのかごドア装置では、カバー７１がブラシ部７３を有しているので、かご出入口の開閉の度ごとにブラシ部７３がかご敷居５の上面を摺動され、かご敷居５の上面の小さな異物でも容易に除去することができる。また、ブラシ部７３がかご敷居５の上面に接触しているので、かご敷居５の上面を磨く効果もある。
【００２９】
なお、実施の形態６，７では、カバーは実施の形態５によるエレベータのかごドア装置に適用されているが、実施の形態３によるエレベータのかごドア装置に適用してもよい。この場合、カバーは敷居溝６内に配置される。
【００３０】
また、実施の形態１、２、４〜７では、戸の脚７の下方への変位のために付勢ばね９が用いられているが、戸の脚７の下方への変位は戸の脚７の自重によっても可能であるので、付勢ばね９は無くてもよい。
【００３１】
【発明の効果】
以上の説明から明らかなように、この発明に係るエレベータのかごドア装置は、敷居溝に挿入されるようにかごの戸本体の下部に設けられ、かつ、かごの戸本体に対するかご敷居の上下方向への変位によりかごの戸本体に対して上下方向へ変位可能な戸の脚を備えているので、戸の脚の敷居溝からの外れを防止することができる。従って、敷居溝を深く形成する必要がなくなり、かご敷居を小型軽量化することができる。また、かご敷居の材料コストも低減することができる。
【図面の簡単な説明】
【図１】この発明の実施の形態１によるエレベータのかごドア装置を示す要部斜視図である。
【図２】図１のエレベータのかごドア装置を示す縦断面図である。
【図３】この発明の実施の形態２によるエレベータのかごドア装置を示す要部斜視図である。
【図４】図３のエレベータのかごドア装置を示す縦断面図である。
【図５】この発明の実施の形態３によるエレベータのかごドア装置を示す縦断面図である。
【図６】この発明の実施の形態４によるエレベータのかごドア装置を示す要部斜視図である。
【図７】図６のエレベータのかごドア装置を示す縦断面図である。
【図８】この発明の実施の形態５によるエレベータのかごドア装置を示す縦断面図である。
【図９】図８のＩＸ−ＩＸ線に沿った断面図である。
【図１０】この発明の実施の形態６によるエレベータのかごドア装置を示す縦断面図である。
【図１１】図１０のＸＩ−ＸＩ線に沿った断面図である。
【図１２】この発明の実施の形態７によるエレベータのかごドア装置を示す縦断面図である。
【図１３】図１２のＸＩＩＩ−ＸＩＩＩ線に沿った断面図である。
【符号の説明】
１  かごの戸本体、５  かご敷居、６  敷居溝、７  戸の脚、９  付勢ばね（付勢手段）、１２  脚案内レール（案内手段）、２１  長穴、２２  ボルト（基準部材）、３２  突出部（脚側係合部）、３３  係合溝（敷居側係合部）、４１，５１  脚本体、４２，５２  ローラ、６１，７１  カバー、７３  ブラシ部。
【図１】
2004224494.tif 000003
【図２】
2004224494.tif 000004
【図３】
2004224494.tif 000005
【図４】
2004224494.tif 000006
【図５】
2004224494.tif 000007
【図６】
2004224494.tif 000008
【図７】
2004224494.tif 000009
【図８】
2004224494.tif 000010
【図９】
2004224494.tif 000011
【図１０】
2004224494.tif 000012
【図１１】
2004224494.tif 000013
【図１２】
2004224494.tif 000014
【図１３】
2004224494.tif 000015